(57)【特許請求の範囲】
【請求項１】
透明体を透明接着剤を介して接着した被表示体の前記透明体と反対側の面に、接着剤を介してプレート本体を接着して表示体を製造する表示体の製造方法であって、
前記透明体を前記透明接着剤を介して接着した前記被表示体は、
前記被表示体に前記透明接着剤を塗布し、その後、前記透明接着剤に前記透明体を接着するか、
又は、
前記透明体に前記透明接着剤を塗布し、その後、前記透明接着剤に前記被表示体を接着するかの何れかであり、
前記透明体を前記被表示体に接着した後、前記被表示体を前記透明体に対して加熱下で押圧して、前記透明体と前記被表示体との間にある空気を外方へ排出させるものであり、
前記透明体は、アクリル樹脂で形成され、
前記加熱下での押圧は、ローラの熱が前記透明体に伝えにくいように、前記ローラと前記透明体との間にシート状部材を介在させる
ことを特徴とする表示体の製造方法。
【請求項２】
透明体を透明接着剤を介して接着した被表示体の前記透明体と反対側の面に、接着剤を介してプレート本体を接着して表示体を製造する表示体の製造方法であって、
前記透明接着剤は、透明フィルムの一方の面及び他方の面にそれぞれ付いた透明接着剤を使用するものであり、
前記透明体を前記透明接着剤を介して接着した前記被表示体は、
前記被表示体に前記透明フィルムの一方の面に付いた透明接着剤を接着し、その後、前記透明フィルムの他方の面に付いた前記透明接着剤に前記透明体を接着するか、
又は、
前記透明体に前記透明フィルムの他方の面に付いた透明接着剤を接着し、その後、前記透明フィルムの一方の面に付いた前記透明接着剤に前記被表示体を接着するかの何れかであり、
前記透明体を前記被表示体に接着した後、前記被表示体を前記透明体に対して加熱下で押圧して、前記透明体と前記被表示体との間にある空気を外方へ排出させるものであり、
前記透明体は、アクリル樹脂で形成され、
前記加熱下での押圧は、ローラの熱が前記透明体に伝えにくいように、前記ローラと前記透明体との間にシート状部材を介在させる
ことを特徴とする表示体の製造方法。
【請求項３】
透明体を被表示体に接着した後、前記被表示体を前記透明体に対して加熱下で押圧して、前記透明体と前記被表示体との間にある空気を外方へ排出させるものであり、
前記透明体を前記被表示体に接着した後、被表示体を前記透明体に対する加熱下で押圧は、前記被表示体の前記透明体と反対側の面に接着剤が付いていない場合は、前記被表示体を前記透明体に対して加熱下で押圧するものであり、
前記透明体を前記被表示体に接着した後、被表示体を前記透明体に対する加熱下で押圧は、前記被表示体の前記透明体と反対側の面に接着剤が付いている場合は、前記被表示体の前記透明体と反対側の面に付いた前記接着剤に離型紙を接着させ、前記離型紙を介して前記被表示体を前記透明体に対して加熱下で押圧する
ことを特徴とする請求項１又は請求項２記載の表示体の製造方法。
【請求項４】
透明体を透明接着剤を介して接着した被表示体は、
前記被表示体に前記透明フィルムの一方の面に付いた透明接着剤を接着し、その後、前記透明フィルムの他方の面に付いた前記透明接着剤に前記透明体を接着するものであり、
前記透明体は、アクリル樹脂で形成され、
前記被表示体は、ラベル印刷紙に印刷されたものである  
ことを特徴とする請求項２記載の表示体の製造方法。
【発明の詳細な説明】
【技術分野】
【０００１】
本発明は、表示体の製造方法に係り、特に、簡易且つ安価に製造することができる表示体の製造方法に関する。
【背景技術】
【０００２】
ゴルフプレイヤーを識別するために、ゴルフ用ネームプレートがゴルフバッグに取り付けられている。
従来、この種ネームプレートは、被転写物を透明プレートの裏面に熱転写して構成している（特許文献１参照）。
【先行技術文献】
【特許文献】
【０００３】
【特許文献１】実用新案登録第３０７３９０６号公報
【発明の概要】
【発明が解決しようとする課題】
【０００４】
ところが、上記従来のネームプレートにあっては、被転写物を透明プレートの裏面に熱転写によらなければならず、ネームプレートを簡易且つ安価に製造することができないという問題点が生じた。
【０００５】
本発明は、上記の問題点を考慮してなされた表示体の製造方法を提供することを目的とする。
【課題を解決するための手段】
【０００６】
請求項１記載の表示体の製造方法は、透明体を透明接着剤を介して接着した被表示体の前記透明体と反対側の面に、接着剤を介してプレート本体を接着して表示体を製造する表示体の製造方法であって、前記透明体を前記透明接着剤を介して接着した前記被表示体は、前記被表示体に前記透明接着剤を塗布し、その後、前記透明接着剤に前記透明体を接着するか、又は、前記透明体に前記透明接着剤を塗布し、その後、前記透明接着剤に前記被表示体を接着するかの何れかであり、前記透明体を前記被表示体に接着した後、前記被表示体を前記透明体に対して加熱下で押圧して、前記透明体と前記被表示体との間にある空気を外方へ排出させるものであり、前記透明体は、アクリル樹脂で形成され、前記加熱下での押圧は、ローラの熱が前記透明体に伝えにくいように、前記ローラと前記透明体との間にシート状部材を介在させるものである。
【０００７】
また、請求項２記載の表示体の製造方法は、透明体を透明接着剤を介して接着した被表示体の前記透明体と反対側の面に、接着剤を介してプレート本体を接着して表示体を製造する表示体の製造方法であって、前記透明接着剤は、透明フィルムの一方の面及び他方の面にそれぞれ付いた透明接着剤を使用するものであり、前記透明体を前記透明接着剤を介して接着した前記被表示体は、前記被表示体に前記透明フィルムの一方の面に付いた透明接着剤を接着し、その後、前記透明フィルムの他方の面に付いた前記透明接着剤に前記透明体を接着するか、又は、前記透明体に前記透明フィルムの他方の面に付いた透明接着剤を接着し、その後、前記透明フィルムの一方の面に付いた前記透明接着剤に前記被表示体を接着するかの何れかであり、前記透明体を前記被表示体に接着した後、前記被表示体を前記透明体に対して加熱下で押圧して、前記透明体と前記被表示体との間にある空気を外方へ排出させるものであり、前記透明体は、アクリル樹脂で形成され、前記加熱下での押圧は、ローラの熱が前記透明体に伝えにくいように、前記ローラと前記透明体との間にシート状部材を介在させるものである。
【０００８】
また、請求項３記載の表示体の製造方法は、請求項１又は請求項２記載の表示体の製造方法において、透明体を被表示体に接着した後、前記被表示体を前記透明体に対して加熱下で押圧して、前記透明体と前記被表示体との間にある空気を外方へ排出させるものであり、前記透明体を前記被表示体に接着した後、被表示体を前記透明体に対する加熱下で押圧は、前記被表示体の前記透明体と反対側の面に接着剤が付いていない場合は、前記被表示体を前記透明体に対して加熱下で押圧するものであり、前記透明体を前記被表示体に接着した後、被表示体を前記透明体に対する加熱下で押圧は、前記被表示体の前記透明体と反対側の面に接着剤が付いている場合は、前記被表示体の前記透明体と反対側の面に付いた前記接着剤に離型紙を接着させ、前記離型紙を介して前記被表示体を前記透明体に対して加熱下で押圧するものである。
【００１１】
また、請求項４記載の表示体の製造方法は、請求項２記載の表示体の製造方法において、透明体を透明接着剤を介して接着した被表示体は、前記被表示体に前記透明フィルムの一方の面に付いた透明接着剤を接着し、その後、前記透明フィルムの他方の面に付いた前記透明接着剤に前記透明体を接着するものであり、前記透明体は、アクリル樹脂で形成され、前記被表示体は、ラベル印刷紙に印刷されたものである。  
【図面の簡単な説明】
【００３０】
【図１】図１（ａ）は、本発明の一実施例のゴルフ用ネームプレート（表示体）の概略的斜視図であり、図１（ｂ）は、図１（ａ）の裏面側の概略的斜視図である。
【図２】図２（ａ）は、図１（ａ）のゴルフ用ネームプレート（表示体）の概略的断面図であり、図２（ｂ）は、図２（ａ）のゴルフ用ネームプレート（表示体）を分解して示す概略的分解断面図である。
【図３】図３（ａ）は、図２（ａ）のゴルフ用ネームプレート（表示体）の他の実施例のゴルフ用ネームプレートの概略的断面図であり、図３（ｂ）は、図３（ａ）のゴルフ用ネームプレート（表示体）を分解して示す概略的分解断面図である。
【図４】図４は、図２（ａ）のゴルフ用ネームプレート（表示体）の製造一工程を概略的に示す概略的断面図である。
【図５】図５は、図４と異なるゴルフ用ネームプレート（表示体）の製造一工程を概略的に示す概略的断面図である。
【図６】図６は、図３のゴルフ用ネームプレート（表示体）の製造一工程を概略的に示す概略的断面図で、図６（ａ）は、被表示体の表面に透明接着剤が塗布される前の概略的断面図であり、図６（ｂ）は、図６（ａ）の被表示体の表面に透明接着剤が塗布された状態の概略的断面図である。
【図７】図７は、図６と異なるゴルフ用ネームプレート（表示体）の製造一工程を概略的に示す概略的断面図である。
【図８】図８（ａ）は、図２（ａ）のゴルフ用ネームプレート（表示体）の製造一工程を概略的に示す概略的断面図であり、図８（ｂ）は、８（ａ）の積層体が移動した状態の概略的断面図である。
【図９】図９は、図３（ａ）のゴルフ用ネームプレート（表示体）の製造一工程を概略的に示す概略的断面図であり、図９（ｂ）は、９（ａ）の積層体が移動した状態の概略的断面図である。
【発明を実施するための形態】
【００３１】
本発明の一実施例のゴルフ用ネームプレートの製造方法、表示体の製造方法、ゴルフ用ネームプレート及び表示体を図面を参照して説明する。
【００３２】
図１及び図２に示すＨは、ゴルフバッグに取り付けられ、ゴルフプレイヤーを識別するために使用されるゴルフ用ネームプレートで、ゴルフ用ネームプレートＨは、図２（ａ）（ｂ）に示すように、ネームプレート本体１と、このネームプレート本体１に接着剤２を介して接着された被表示体３と、透明体４と、一方の面及び他方の面に付いた透明接着剤５１、５２を有した透明フィルム５とを有している。
なお、図２（ｂ）は、離型紙（図示せず）を取り、被表示体３の接着剤２、透明フィルム５の透明接着剤５１、５２が露出している状態を示している。
そして、透明フィルム５の一方の面に付いた透明接着剤５１は被表示体３に、透明フィルム５の他方の面に付いた透明接着剤５２は透明体４に、それぞれ接着している。被表示体５の表示部は、図１（ａ）に示すように、透明体４に面している。
【００３３】
上述のネームプレート本体１は、例えば、平面視、略長方形で、樹脂で形成されている。ネームプレート本体１の被表示体３と反対側の面１１には、ネームがレザー等により施されている。
ネームプレート本体１へのネームの付与は、ゴルフ用ネームプレートＨを構成する部材を積層して接着した後又は接着する前（例えば、図４のネームプレート本体１は、ネームが付与されたネームプレート本体１である。）の何れでも良い。
【００３４】
上述の被表示体３は、例えば、印刷物、より詳しくは、ラベル印刷紙にレザープリンターで写真等を印刷されたもので、接着剤２は、ネームプレート本体１の被表示体３と対向する面１１に接着剤を塗布しても良いが、本実施例では、ラベル印刷紙に貼着された接着剤である。
【００３５】
上述の透明体４は、例えば、透明アクリル樹脂などの透光性材料製で形成されたプレート状であり、例えば、平面視、略長方形である。
透明接着剤５１、５２は、被表示体３の表面又は透明体４の裏面に透明接着剤を塗布しても良いが、本実施例では、透明フィルム５の一方の面及び他方の面に予め塗布された透明接着剤５１、５２を用いるのが、好適である。
すなわち、透明体４の裏面に透明フィルム５の他方の面に付いた透明接着剤５２が接着し、被表示体３の表面に一方の面に付いた透明接着剤５１が接着したもので、透明フィルム５を介在して、透明体４と被表示体３を接着させるようにしている。
【００３６】
上述したゴルフ用ネームプレートＨによれば、ネームプレート本体１と、このネームプレート本体１に接着剤２を介して接着された被表示体３と、透明体５と、一方の面及び他方の面に付いた透明接着剤５１、５２を有した透明フィルム５と、を有し、透明フィルム５の一方の面に付いた透明接着剤５１は被表示体３に、透明フィルム５の他方の面に付いた透明接着剤５２は透明体４に、それぞれ接着し、被表示体３の表示部が透明体４に面しているため、ネームプレートＨを簡易且つ安価に製造することができる。
特に、透明接着剤として、透明フィルム５の一方の面及び他方の面に予め付いた透明接着剤５１、５２を用いると、ゴルフ用ネームプレートＨをより簡易且つ安価に製造することができる。
例えば、ゴルフ場で撮った友人と一緒の写真を、ゴルフ場に機材を持ち込めば上述したゴルフ用ネームプレートＨを容易に製作することができる。
【００３７】
また、上述した実施例において、ゴルフ用ネームプレートＨとして説明したが、本願発明は、これに限らず、表示体Ｈ’にも同様に適用することができる。
ネームを施したネームプレート本体１を、ネームを施さないプレート本体１’とすれば、上述した実施例のゴルフ用ネームプレートＨを表示体Ｈ’に適用することができる。
すなわち、表示体Ｈ’は、図２（ａ）（ｂ）に示すように、プレート本体１’と、このプレート本体１’に接着剤２を介して接着された被表示体３と、透明体５と、 一方の面及び他方の面に付いた透明接着剤５１、５２を有した透明フィルム５と、を有し、透明フィルム５の一方の面に付いた透明接着剤５１は被表示体３に、透明フィルム５の他方の面に付いた透明接着剤５２は透明体４に、それぞれ接着し、表示体３の表示部を透明体４に面するようにする。
【００３８】
また、上述した実施例において、被表示体３と透明体４を接着する際、好適な例として、予め一方の面及び他方の面に付いた透明接着剤５１、５２を有した透明フィルム５を用いたが、場合により、透明フィルム５を用いなくても、ゴルフ用ネームプレートＨ(表示体Ｈ’)を構成することができる。
すなわち、図３（ａ）（ｂ）に示すように、ゴルフ用ネームプレートＨ(表示体Ｈ’)は、ネームプレート本体１（プレート本体１’）と、このネームプレート本体１（プレート本体１’）に接着剤２を介して接着された被表示体３と、この被表示体３に透明接着剤５３を介して接着された透明体４と、を有し、被表示体３の表示部が透明体４に面しているものである。              
透明接着剤５３は、図３（ｂ）に示すように、被表示体３に塗布等により付着させても良いし、透明体４の裏面に透明接着剤５３を塗布等により付着させても良い。
また、接着剤２は、被表示体３の裏面でも良いし、被表示体３が対向するネームプレート本体１（プレート本体１’）の面に塗布等により付着させるようにしても良い。
【００３９】
次に、上述したゴルフ用ネームプレートＨ(表示体Ｈ’)の製造方法について、以下説明する。
ゴルフ用ネームプレートＨ(表示体Ｈ’)を製造するゴルフ用ネームプレート(表示体)の製造方法は、透明体４を透明接着剤を介して接着した被表示体３の透明体４と反対側の面に、接着剤２を介してネームプレート本体１（プレート本体１’）を接着してゴルフ用ネームプレート(表示体Ｈ’)を製造するするものである。
透明接着剤は、透明フィルム５の一方の面及び他方の面にそれぞれ付いた透明接着剤５１、５２を使用する。
【００４０】
そして、透明体４を透明接着剤を介して接着した被表示体３は、
・  被表示体３に透明フィルム５の一方の面に付いた透明接着剤５１を接着し(図４参照  )、その後、透明フィルム５の他方の面に付いた透明接着剤５２に透明体４を接着する  か、
又は、
・  透明体４に透明フィルム５の他方の面に付いた透明接着剤５２を接着し(図５参照)、  その後、透明フィルム５の一方の面に付いた透明接着剤５１に被表示体３を接着するか  の何れかである。
特に、接着剤として、透明フィルム５の一方の面及び他方の面に予め付いた透明接着剤５１、５２を用いると、ゴルフ用ネームプレートＨ(表示体Ｈ’)をより簡易且つ安価に製造することができる。
【００４１】
なお、上述した実施例において、被表示体３と透明体５を接着する際、好適な例として、予め一方の面及び他方の面に付いた透明接着剤５１、５２  を有した透明フィルム５を用いたが、場合により、透明フィルム５を用いなくても、ゴルフ用ネームプレートＨ(表示体Ｈ’)を構成することができる（図３参照）。
【００４２】
すなわち、図６及び図７に示すように、透明体４を透明接着剤５３を介して接着した被表示体３の透明体４と反対側の面に、接着剤２を介してネームプレート本体１（プレート本体１’）を接着してゴルフ用ネームプレートＨ(表示体Ｈ’)を製造するするものである。
そして、上記の透明体４を透明接着剤５３を介して接着した被表示体３は、
・  被表示体３に透明接着剤５３を塗布し［図６（ａ）（ｂ）参照］、その後、透明接着  剤５３に透明体５３を接着するか、
又は、
・  透明体４に透明接着剤５３を塗布し(図７参照)、その後、透明接着剤５３に被表示体  ３を接着するかの何れかである。
【００４３】
なお、上述の実施例において、透明体４と被表示体３との間に空気が溜まり、見栄えが良くない場合が生じる。
このような場合、透明体４を被表示体３に接着した後、被表示体３を透明体４に対して押圧して、透明体４と被表示体３との間にある空気を外方へ排出させることができる。
具体的には、透明フィルム５を使用した場合、図８（ａ）（ｂ）［透明フィルム５を使用しない場合も同様（図９（ａ）（ｂ９参照）］に示すように、透明体４に付着した被表示体３をラミネータの上下ローラ１０、１１の間に透明体４と被表示体３との積層体を入れて行う。
なお、透明体４を被表示体３に接着した後、被表示体３を透明体４に対する押圧は、被表示体３の透明体４と反対側の面に接着剤２が付いている場合は、図８（ａ）（ｂ）  に示すように、被表示体３の透明体４と反対側の面に付いた接着剤２に離型紙１２を接着させ、離型紙１２を介して被表示体３を透明体４に対して押圧する。
また、被表示体３の透明体４と反対側の面に接着剤２が付いていない場合は、被表示体３を透明体４に対して押圧して、透明体４と被表示体３との間にある空気を外方へ排出させる。
なお、ラミネータの上下ローラ１０、１１を加熱（１００℃前後）下で、加圧を行うと良い。その際、図８（ａ）（ｂ）、図９（ａ）（ｂ）の上ローラ１０と透明体４との間に図示しないシート状部材を介在させ、上ローラ１０の熱が透明体４に伝えにくいようにして透明体４の熱変形を防止するようにすると良い。
また、透明体４を被表示体３に接着した後、被表示体３を透明体４に対して押圧して、透明体４と被表示体３との間にある空気を外方へ排出させる手段として、上下ローラ１０、１１を用いたが、本願発明にあっては、これに限らず、例えば、「竹、木、金属などで作られたへら」、「爪」等を使用して、被表示体３を透明体４に対して押圧し、透明体４と被表示体３との間にある空気を外方へ排出させるようにしても良い。
【符号の説明】
【００４４】
Ｈ      ゴルフ用ネームプレート
１      ネームプレート本体
２      接着剤
３      被表示体
４      透明接着剤
５      透明体
【要約】
【課題】
本発明の目的は、簡易且つ安価に製造することができるゴルフ用ネームプレートを提供するものである。
【解決手段】
ゴルフ用ネームプレートＨによれば、ネームプレート本体１と、このネームプレート本体１に接着剤２を介して接着された被表示体３と、この被表示体３に透明接着剤４を介して接着された透明体５と、を有したものである。
【選択図】図３【図１】
0005939555.tif 000002
【図２】
0005939555.tif 000003
【図３】
0005939555.tif 000004
【図４】
0005939555.tif 000005
【図５】
0005939555.tif 000006
【図６】
0005939555.tif 000007
【図７】
0005939555.tif 000008
【図８】
0005939555.tif 000009
【図９】
0005939555.tif 000010